(57)【特許請求の範囲】
【請求項１】
巻戻手段から取除かれたワイヤが、互いに間隔を開けられて軸方向が互いに平行に配された複数のワイヤ案内ローラの周囲を繰返し案内され、それによって前記ワイヤ案内ローラの周囲を走行するワイヤのループがある一定の等距離を離されて保持され、既にワイヤ案内ローラ上に位置したすべてのループは、新しいループの各々が配置される前に１つの間隔だけ移動されるワイヤ引込装置であって、少なくとも１つのバンドローラ（５，６，７）が前記ワイヤ案内ローラ（２，３，４）の軸方向の端部に同軸にそれぞれ取付けられ、ワイヤの一方端のためのワイヤ保持手段（８）を備えたワイヤ案内手段（１）が前記バンドローラ（５，６，７）の周囲を案内され、ワイヤ移動手段（９，１１）が、前記ワイヤ案内ローラと軸方向に平行な態様で、ワイヤの走行する方向に関してワイヤ案内ローラ（２，３，４）より上流に設けられることを特徴とする、ワイヤ引込装置。
【請求項２】
前記ワイヤ案内手段がエンドレスバンド（１）によって形成されることを特徴とする、請求項１に記載のワイヤ引込装置。
【請求項３】
エンドレスバンド（１）が、ねじれることのないように案内されることを特徴とする、請求項２に記載のワイヤ引込装置。
【請求項４】
ワイヤ保持手段が、エンドレスバンド（１）の外側に配置される固定部分（８）によって形成されることを特徴とする、請求項１ないし３のいずれかに記載のワイヤ引込装置。
【請求項５】
前記固定部分が、バンドの回転の間にワイヤ案内ローラ上のワイヤを前記エンドレスバンドに最も近い通路の位置に置くため、ワイヤの走行する方向に対して直角方向に前記エンドレスバンド（１）より突出している部分を有することを特徴とする、請求項４に記載の装置。
【請求項６】
駆動されるワイヤ案内ローラ（２）の軸方向の端部に同軸に位置されたバンドローラ（７）が、前記ワイヤ案内ローラと連結固定されることを特徴とする、請求項１ないし５のいずれかに記載のワイヤ引込装置。
【請求項７】
ワイヤ案内ローラ（２，３）が、その外周に、軸方向に垂直で、かつある一定の等距離間隔を開けられた平行な案内溝を有することを特徴とする、請求項１に記載のワイヤ引込装置。
【請求項８】
ワイヤ移動手段（９，１１）が、ワイヤ案内ローラ（２，３）上の２
つの案内溝の間の距離に一致するピッチを有するねじが形成されるとともに、偏心回転するように取り付けられるねじ付きスピンドルとして設計されることを特徴とする、請求項１ないし７のいずれかに記載のワイヤ引込装置。
【請求項９】
ワイヤ案内ローラ（２，３，４）が滑らかな周面を有し、ある一定の等距離間隔を開けられた平行な案内溝を外周に有するとともに軸方向に移動可能なワイヤ移動ローラ（９，１１）によってワイヤ移動手段が形成されることを特徴とする、請求項１から請求項６のいずれかに記載のワイヤ引込装置。
【請求項１０】
ワイヤ案内ローラ（２，３，４）が滑らかな周面を有し、ワイヤ移動手段（９，１１）が、軸方向に垂直でかつある一定の等距離間隔の平行な案内溝を外周に有する中心部（１２）と、該中心部の周囲を同軸に回転可能に設けられ、中空円筒を縦に半分に割った形状を有するとともに外周にねじを形成したスピンドル（１３）とを含むことを特徴とする、請求項１から請求項６のいずれかに記載のワイヤ引込み装置。
【請求項１１】
ねじ付きの中空のスピンドル（１３）のピッチが、中心部（１２）の２つの案内溝の間の距離の２倍に一致することを特徴とする、請求項１０に記載のワイヤ引込装置。
【発明の詳細な説明】
【０００１】
【産業上の利用分野】
この発明は、ワイヤ引込装置に関するものである。特に、ワイヤにエナメルをかける装置に使用するためのものであり、巻戻手段から取除かれるワイヤは、間隔を開けられかつ軸方向に平行なワイヤ案内ローラブロックの周囲を繰返し案内され、これらのワイヤ案内ローラブロックの周囲を走行するワイヤは、ワイヤにエナメルをかける装置の処理ユニットを繰返し通り抜け、その後ワイヤ案内ローラブロックから取除かれる。
【０００２】
【従来の技術】
そのようなワイヤ引込装置は既知である。ドイツ特許ＤＥ−３７  ２７  ９７６  Ｃ１は、被覆されるべきワイヤをワイヤにエナメルをかける装置のワイヤ案内ローラブロックの上に配置するための横送りバーを使用するワイヤ引込装置を記述しており、横送りバーはこれらのブロックの周囲を走行するバンドの上に取付けられ、かつスライドを有し、それは横送りバーの上に配置されるスライドバー中で、横送りバーの運動の方向に対して垂直に変位可能であり、かつスライドに固定されるワイヤを横送りバーの次の回転の間にローラブロックのその後に続く自由溝に、または複数のワイヤの場合には、その後に続く複数の自由溝に配置するために必要な距離だけ、横送りバーの各１回転の後に機械スイッチアセンブリによって移される。
【０００３】
【発明が解決しようとする課題】
この発明は、特にその装置がメンテナンスをあまり必要とせず、向上した耐用年数を有し、かつ既知の手段に比べると製造の努力をあまり必要としないように、上述の種類のワイヤ引込み装置を改良する問題に基づいている。
【０００４】
この問題は、請求項１の特徴点によってこの発明に従って解決される。この発明の有利な実施例は、請求項２から請求項４の特徴点の内容である。
【０００５】
【課題を解決するための手段および作用効果】
この発明によれば、ワイヤ引込装置はワイヤ案内ローラブロックを含み、それによって少なくとも１つの偏向ローラが、ワイヤ案内ローラブロックと同軸にそれらのそれぞれの正面のうちの少なくとも１つの前に取付けられる。ワイヤ案内手段は、その上に設けられたワイヤの一方端のためのワイヤ保持手段を備えて、偏向ローラの周囲を案内される。さらに、ワイヤ移動手段は、軸方向に平行な態様でワイヤの走行方向に関してワイヤ案内ローラブロックの少なくとも１つの前に与えられる。
【０００６】
好ましい実施例では、偏向ローラはバンドローラによって形成され、ワイヤ案内手段はエンドレスバンドによって形成され、そしてエンドレスバンドはねじれることのないように案内される。この発明の有利な開発では、ワイヤ保持手段のための固定部分は、エンドレスバンドの外側に配置される。さらに、バンドの回転の間にワイヤ案内ローラブロック上のワイヤを最後の通路の位置に配置するための横に突出した固定手段を有するように、固定部分を改良することもできる。
【０００７】
この発明のさらに他の実施例は、駆動されたワイヤ案内ローラブロックの前に配置されるバンドローラがそれに連結されるように適合されるためのものである。さらに他の実施例では、ワイヤ案内ローラブロックは、その周辺部上に軸方向に垂直でかつある一定の等距離間隔の開けられた平行な案内溝によって特徴付けられる。
【０００８】
加えて、この装置は、ワイヤ案内ブロック上の２つの案内溝の間の距離に一致するピッチを有する偏心して取付けられるシングルフライトのねじ付きスピンドルとして設計されるワイヤ移動手段を含むことが可能である。さらに他の実施例では、ワイヤ案内ローラブロックは、滑らかな周面を有することが可能であり、一方ワイヤ移動手段は、ワイヤ移動ローラによって形成される。ワイヤ移動ローラは、中心に取付けられかつ軸方向に変位可能であり、かつその周辺部上の軸方向に垂直である一定の等距離間隔の開けられた平行な案内溝によって特徴付けられる。さらに、ワイヤ移動手段の各々は、その周辺部上に、軸方向と垂直にある一定の等距離間隔の開けられた平行な案内溝のある、中心に取付けられた中心部と、この中心部の周囲を中心に向かって回転することのできる半分開いたねじ付きの中空のスピンドルとを含み得る。ねじ付きの中空のスピンドルのピッチは、有利なことには中心部の２つの案内溝の間の距離の２倍に等しい。
【０００９】
この発明のワイヤ引込装置のための製造の努力は、生産するのに費用がさらに安い比較的単純な構成要素が使用されるので、既知のワイヤ引込装置よりも縮小される。
【００１０】
多くの滑り案内手段と、結果として生じるそれらの故障への感受性に起因する、既知のワイヤ引込装置で発生するより著しい摩耗もまた、新しい解決の原理によってほぼ完全に解消され得る。
【００１１】
【実施例】
この発明は、図１から図９とともに、３つの実施例に関して次により詳細に説明される。
【００１２】
図１から図３は、第１の実施例を斜視図で示している。
ワイヤ１０が、ワイヤ案内ローラ２、３および４に配置されるように、ワイヤの始端は固定部分８に固定される。固定部分８は、ワイヤ案内ローラ２、３および４と同軸に、それらの正面の前に取付けられるバンドローラ５、６および７の上に案内されるエンドレスバンド１に、しっかりと連結される。バンドローラ７は、駆動されるワイヤ案内ローラ２に連結されるように適用され、そのため、バンドローラ７はそれによって駆動される。
【００１３】
始動位置では、固定部分８は、ワイヤの走行方向に関してバンドローラ５のすぐ下流側に位置される。ねじ付きのスピンドルとして設計され、かつワイヤ案内ローラ２および３上の２つの案内溝の間の距離に一致するねじのピッチを有する、偏心的に回転可能なワイヤ移動ローラ９および１１は、引込まれるワイヤがスピンドルに接触しないように回転する。
【００１４】
ワイヤの始端が固定部分８に固定された後、エンドレスバンド１は、駆動されるワイヤ案内ローラ２とそれに連結されるバンドローラ７とのスイッチを入れることによって回転させられ、そのためバンドは、それが走らせているワイヤを、ワイヤ案内ローラ２および３のバンドローラ５，６側の端の案内溝に配置する。エンドレスバンドが完全に１回転した後、ねじ付きスピンドルとして設計された偏心的に取付けられたワイヤ移動ローラ９および１１は、完全に１回転し、そのため、ワイヤ案内ローラ２および３の案内溝で回転するワイヤは、偏心的な動きでワイヤ案内ローラ２および３のバンドローラ５，６側の端の案内溝から持上げられ、かつねじのピッチによって１つの溝の間隔だけ横に移動され、かつそれから再び降ろされ、そのためワイヤは端の案内溝からそれに隣接する案内溝に配置される。これによって、ワイヤ案内ローラ２および３上の端の案内溝は、さらなるワイヤがその上に配置されるように開放され、通路の所望の数によって、上述の過程を繰返すことができる。
【００１５】
図４から図６は、この発明の第２の実施例を示している。
ワイヤ案内ローラ２、３および４は、ここでは滑らかな周面を有する円筒形ローラとして設計されている。軸方向に平行な態様で、ワイヤの走行する方向に関してワイヤ案内ローラの前に配置されたワイヤ移動ローラ９および１１は、中心に取付けられ、かつ軸方向に変位可能であり、かつその周辺部上に軸方向に垂直な、かつワイヤにエナメルをかける装置の要求によって決定される等距離だけ間隔が開けられた平行な案内溝を有する。
【００１６】
始動位置では、固定部分８は再び、ワイヤの走行する方向に関してワイヤ案内ローラ４のすぐ下流側に位置される。ワイヤ移動ローラ９および１１は、ワイヤ引込開始時に、軸方向に完全に外側に移動され、そのため、第１の案内溝は、固定部分８に固定されたワイヤの真下にくる。ワイヤ案内ローラ２とそれに連結されるバンドローラ７とによって駆動されてバンド１が動かされると、固定部分８は、そこに固定されるワイヤの始端を走らせ、それをワイヤ案内ローラ２、３および４の周囲、ならびにワイヤ移動ローラ９および１１の第１の案内溝に配置する。バンド１が回転するごとに、ワイヤ移動ローラ９および１１は、ワイヤ移動ローラ９および１１上の２つの案内溝の間の距離に一致する距離だけ、内側に移動される。
【００１７】
したがってワイヤは、バンドの各回転ごとに、ワイヤ案内ローラ上の１つの溝の間隔だけ軸の方向に移動され、ワイヤ移動ローラ９および１１の次の自由案内溝をさらなるワイヤの通路のために利用可能にする。記述された過程は、通路の所望の数に合わせて繰返すことが可能である。
【００１８】
図７から図９は、第３の実施例を示している。
第２の実施例にあるように、ワイヤ案内ローラ２、３および４は、滑らかな周面を有する。ワイヤ移動ローラ９および１１の各々は、その周辺部上に、軸方向に垂直に、かつたとえばワイヤにエナメルをかける装置に依存するある一定の等距離だけ間隔を開けられた平行な案内溝を有する中心に取付けられる中心部１２と、この中心部１２の２つの案内溝の間の距離の２倍に一致するピッチを有する、中心部１２の周囲を同軸に回転可能な、中空円筒の半周分の形状、すなわち中空円筒を縦に半分に割った形状を有するとともに、外周にねじを形成した、中空のスピンドル１３とを含む。
【００１９】
始動位置では、固定部分８は、ワイヤの走行する方向に関してワイヤ案内ローラ４のすぐ後ろに再び位置される。ワイヤ移動ローラ９および１１の回転できるように取付けられた、中空円筒を縦に半分に割った形状を有するとともに外周にねじを形成した中空のスピンドル１３は、引込まれるワイヤがその外周に接触せず、かつそれがバンド１の最初の回転の間にワイヤ移動ローラ９および１１の中心部１２の、スピンドル１３に覆われずに露出された案内溝に挿入されることができるように回転する。バンド１の最初の回転の後、ワイヤ移動ローラ９および１１のねじ付きの中空のスピンドル１３は、完全に１回転する。したがって、ワイヤ移動ローラ９および１１の中心部１２の案内溝に位置されるワイヤは、２つのねじ付きの中空のスピンドル１３のねじ付きの溝によって捕らえられ、現在の案内溝から持上げられ、ねじ付きの溝のピッチによって軸方向に移動され、ワイヤ移動ローラ９および１１の中心部１２のその前に位置する次の案内溝へ降ろされる。したがってワイヤ移動ローラ９および１１の中心部１２の最後の案内溝は、ワイヤ案内ローラ２、３および４の周囲に巻付けられたワイヤが１つの案内溝の間隔だけ軸方向に位置を変えると、次の通路のために開放され、かつ上述の過程が通路の所望の数に合わせて繰返されることができる。
【００２０】
さまざまな機能、たとえば固定要素８上にワイヤを固定させること、バンド１を駆動されるワイヤ案内ローラ２に連結することによってバンド１を作動させること、およびバンドが１回転した後にワイヤ移動ローラ９と１１とを回転させるかまたは軸方向に移動させること、等を関連させることによって、上述のワイヤ引込装置の完全に自動的な動作を得ることができる。
【００２１】
この発明は、これらの実施例に制限されるものではなく、特に、たとえば、案内溝を有して、または有さずに、説明されたさまざまなワイヤ案内ローラと、説明されたワイヤ移動ローラのさまざまな型との間でどのように所望の組合せをしても、この発明のさらに有利な変形を生じ得る。
【図面の簡単な説明】
【図１】ワイヤ引込装置の斜視図である。
【図２】図１に従った側面図である。
【図３】図１に従った上面図である。
【図４】第２の実施例の斜視図である。
【図５】図４に従った側面図である。
【図６】図４に従った上面図である。
【図７】ねじ付きの中空のスピンドルを有する第３の実施例の斜視図である。
【図８】図７に従った側面図である。
【図９】図７に従った上面図である。
【符号の説明】
１  ワイヤ案内手段
２  ワイヤ案内ローラブロック
３  ワイヤ案内ローラブロック
４  ワイヤ案内ローラブロック
５  偏向ローラ
６  偏向ローラ
７  偏向ローラ
８  ワイヤ保持手段
９  ワイヤ移動手段
１０  ワイヤ
１１  ワイヤ移動手段
【図１】
0003550406.tif 000002
【図２】
0003550406.tif 000003
【図３】
0003550406.tif 000004
【図４】
0003550406.tif 000005
【図５】
0003550406.tif 000006
【図６】
0003550406.tif 000007
【図７】
0003550406.tif 000008
【図８】
0003550406.tif 000009
【図９】
0003550406.tif 000010